(57)【要約】【課題】ユーザに対する金銭的な負担を軽減するとともに、メールアドレス変更を確実に相手に通知する。【解決手段】メールアドレスの設定が可能な携帯端末１０と、携帯端末１０のメールアドレスが登録される携帯電話会社端末３０と、携帯端末１０から変更前および変更後のメールアドレスとメールアドレス変更の通知先となる宛先メールアドレスとを受信するサーバ２０とを有する。サーバ２０は、携帯電話会社端末３０に上記変更前のメールアドレスの登録を確認し、登録がされていない場合に、上記変更後のメールアドレスを含む変更通知メッセージを作成し、上記宛先メールアドレスを送信先とし、上記変更前のメールアドレスを送信元として上記変更通知メッセージを送信する。【選択図】図１
2006277573.tif 000002
【特許請求の範囲】
【請求項１】
メールアドレスの設定が可能な携帯端末と、
前記携帯端末のメールアドレスが登録されるメールサーバと、
前記携帯端末から変更前および変更後のメールアドレスとメールアドレス変更の通知先となる宛先メールアドレスとを受信する変更通知代行サーバとを有し、
前記変更通知代行サーバは、前記メールサーバに前記変更前のメールアドレスの登録を確認し、登録がされていない場合に、前記変更後のメールアドレスを含む変更通知メッセージを作成し、前記宛先メールアドレスを送信先とし、前記変更前のメールアドレスを送信元として前記変更通知メッセージを送信することを特徴とするメールアドレス変更通知システム。
【請求項２】
前記変更通知代行サーバは、前記変更前のメールアドレスを宛先とする、所定のメッセージを含むテストメールを送信し、
前記メールサーバは、前記テストメールを受信すると、該テストメールの宛先である前記変更前のメールアドレスが自サーバに登録されているか否かを判断し、登録されている場合は、前記テストメールを前記携帯端末に送信し、登録されていない場合は、エラーメールを前記変更通知代行サーバに返信する、請求項１に記載のメールアドレス変更通知システム。
【請求項３】
前記変更通知代行サーバは、前記エラーメールを受信した場合にのみ、前記変更通知メッセージの送信を行う、請求項２に記載のメールアドレス変更通知システム。
【請求項４】
前記変更通知代行サーバは、前記変更前および変更後のメールアドレスおよび宛先メールアドレスを入力するためのメールアドレス変更通知設定画面データを前記携帯端末に送信し、
前記携帯端末は、前記変更通知代行サーバから受信したメールアドレス変更通知設定画面データに基づいてメールアドレス変更通知設定画面が表示され、該表示されたメールアドレス変更通知設定画面上で入力された前記変更前および変更後のメールアドレスおよび宛先メールアドレスを前記変更通知代行サーバに返すように構成されている、請求項１に記載のメールアドレス変更通知システム。
【請求項５】
メールアドレスの設定が可能な携帯端末および該携帯端末のメールアドレスが登録されるメールサーバのそれぞれと情報を送受信することが可能な変更通知代行サーバであって、
前記携帯端末から提供される、変更前および変更後のメールアドレスとメールアドレス変更の通知先となる宛先メールアドレスを格納する記憶部と、
前記記憶部に格納された変更前のメールアドレスの登録を前記メールサーバに確認し、登録がされていない場合に、該変更後のメールアドレスを含む変更通知メッセージを作成し、前記記憶部に格納された宛先メールアドレスおよび変更後のメールアドレスをそれぞれ送信先および送信元として前記変更通知メッセージを送信する制御部とを有する変更通知代行サーバ。
【請求項６】
前記制御部は、前記変更前のメールアドレスを宛先とする、所定のメッセージを含むテストメールを送信し、該送信したテストメールに対する返信として、前記メールサーバからエラーメールを受信した場合にのみ、前記変更通知メッセージの送信を行う、請求項５に記載の変更通知代行サーバ。
【請求項７】
前記記憶部は、前記変更前および変更後のメールアドレスおよび宛先メールアドレスを入力するためのメールアドレス変更通知設定画面データが予め格納されており、
前記制御部は、前記携帯端末からの要求に応じて、前記記憶部に格納されているメールアドレス変更通知設定画面データを前記携帯端末に送信し、該送信したメールアドレス変更通知設定画面データに対する入力データとして、前記変更前および変更後のメールアドレスおよび宛先メールアドレスを前記携帯端末から受信する、請求項５に記載の変更通知代行サーバ。
【請求項８】
メールアドレスの設定が可能な携帯端末および該携帯端末のメールアドレスが登録されるメールサーバのそれぞれと情報を送受信することが可能なサーバによって行われるメールアドレス変更通知方法であって、
前記携帯端末から変更前および変更後のメールアドレスとメールアドレス変更の通知先となる宛先メールアドレスとを受信する第１のステップと、
前記メールサーバに前記変更前のメールアドレスが登録されているかどうかを確認する第２のステップと、
前記変更前のメールアドレスが前記メールサーバに登録されていない場合に、前記変更後のメールアドレスを含む変更通知メッセージを作成し、前記宛先メールアドレスを送信先とし、前記変更前のメールアドレスを送信元として前記変更通知メッセージを送信する第３のステップとを含むメールアドレス変更通知方法。
【請求項９】
前記第２のステップは、前記変更前のメールアドレスを宛先とする、所定のメッセージを含むテストメールを送信するステップを含み、
前記第３のステップは、前記送信したテストメールに対する返信として、前記メールサーバからエラーメールを受信した場合にのみ、前記変更通知メッセージの送信を行うステップを含む、請求項８に記載のメールアドレス変更通知方法。
【請求項１０】
前記第１のステップは、
前記携帯端末からの要求に応じて、前記変更前および変更後のメールアドレスおよび宛先メールアドレスを入力するためのメールアドレス変更通知設定画面データを前記携帯端末に送信するステップと、
前記送信したメールアドレス変更通知設定画面データに対する入力データとして、前記変更前および変更後のメールアドレスおよび宛先メールアドレスを前記携帯端末から受信するステップとを含む、請求項８に記載のメールアドレス変更通知方法。
【請求項１１】
メールアドレスの設定が可能な携帯端末および該携帯端末のメールアドレスが登録されるメールサーバのそれぞれと情報を送受信することが可能なサーバのコンピュータに用いられるプログラムであって、
前記携帯端末から変更前および変更後のメールアドレスとメールアドレス変更の通知先となる宛先メールアドレスとを受信する第１の処理と、
前記メールサーバに前記変更前のメールアドレスが登録されているかどうかを確認する第２の処理と、
前記変更前のメールアドレスが前記メールサーバに登録されていない場合に、前記変更後のメールアドレスを含む変更通知メッセージを作成し、前記宛先メールアドレスを送信先とし、前記変更前のメールアドレスを送信元として前記変更通知メッセージを送信する第３の処理とを前記コンピュータに実行させるプログラム。
【請求項１２】
前記第２の処理は、前記変更前のメールアドレスを宛先とする、所定のメッセージを含むテストメールを送信する処理を含み、
前記第３の処理は、前記送信したテストメールに対する返信として、前記メールサーバからエラーメールを受信した場合にのみ、前記変更通知メッセージの送信を行う処理を含む、請求項１１に記載のプログラム。
【請求項１３】
前記第１の処理は、
前記携帯端末からの要求に応じて、前記変更前および変更後のメールアドレスおよび宛先メールアドレスを入力するためのメールアドレス変更通知設定画面データを前記携帯端末に送信する処理と、
前記送信したメールアドレス変更通知設定画面データに対する入力データとして、前記変更前および変更後のメールアドレスおよび宛先メールアドレスを前記携帯端末から受信する処理とを含む、請求項１１に記載のプログラム。
【発明の詳細な説明】
【技術分野】
【０００１】
本発明は、携帯電話機やＰＨＳ（Personal Handyphone System）に代表される携帯端末のメールアドレス変更を通知するシステムおよび方法に関する。
【背景技術】
【０００２】
電子メールを送受信することができる機能（メーラー）を搭載した携帯電話機が提供されている。この種の携帯電話機には、通常、相手先の電話番号やメールアドレスなどの情報を格納することができるアドレス帳の機能が搭載されており、ユーザは、そのアドレス帳を使用して電子メールの宛先入力を簡単に行うことができる。
【０００３】
携帯電話機を異なる機種に変更した場合は、通常、メールアドレスも変更することになる。また、第三者が相手先の許可を受けることなく勝手にメールを送信する、いわゆる迷惑メールが問題になっており、ユーザが、この迷惑メールを回避するために、自分の携帯電話機のメールアドレスを変更する場合もある。
【０００４】
メールアドレスを変更した場合は、ユーザは、新たなメールアドレスを、これまで電子メールをやり取りしていた相手に通知する必要がある（メールアドレスの変更通知）。このメールアドレスの変更通知の仕方としては、例えば、アドレス帳を使って変更通知先を指定する、といった方法がある。しかし、このアドレス帳を使用した宛先指定では、変更通知先が多い場合は、宛先指定を行う作業自体が面倒となり、また、指定漏れも発生する。そこで、作業を簡略化するととも通知漏れを防止するメールアドレス変更通知方法が提案されている（特許文献１参照）。このメールアドレス変更通知方法では、携帯端末において、自端末のメールアドレス情報が格納される第１の記憶部と、変更通知先のメールアドレス情報が格納される第２の記憶部とを有し、第１の記憶部に格納されている自端末のメールアドレス情報が更新されると、第２の記憶部に格納されている変更通知先のメールアドレス宛に変更通知メールを送信するようになっている。
【特許文献１】特開２００４−２８２５８３号公報
【発明の開示】
【発明が解決しようとする課題】
【０００５】
しかしながら、上述した従来のメールアドレス変更通知方法においては、携帯端末が、第２の記憶部に格納されている変更通知先のメールアドレス宛に変更通知メールを送信するため、変更通知先が多い場合には、変更通知メールの送信にかかる通信料が増大し、その結果、金銭面におけるユーザへの負担が大きくなる。
【０００６】
また、変更通知メールの送信元は、更新されたメールアドレスであるため、メールアドレスが変更されたことを知らない相手は、その変更通知メールを迷惑メールと勘違いする場合もある。
【０００７】
本発明の目的は、上記問題を解決し、ユーザに対する金銭的な負担を軽減するとともに、メールアドレス変更を確実に相手に通知することのできる、メールアドレス変更通知システム、メールアドレス変更通知方法、変更通知代行サーバおよびプログラムを提供することにある。
【課題を解決するための手段】
【０００８】
上記目的を達成するため、本発明は、メールアドレスの設定が可能な携帯端末と、前記携帯端末のメールアドレスが登録されるメールサーバと、前記携帯端末から変更前および変更後のメールアドレスとメールアドレス変更の通知先となる宛先メールアドレスとを受信する変更通知代行サーバとを有し、前記変更通知代行サーバが、前記メールサーバに前記変更前のメールアドレスの登録を確認し、登録がされていない場合に、前記変更後のメールアドレスを含む変更通知メッセージを作成し、前記宛先メールアドレスを送信先とし、前記変更前のメールアドレスを送信元として前記変更通知メッセージを送信するように構成されている。
【０００９】
上記の構成によれば、変更通知代行サーバが、携帯端末に代わって、変更通知メッセージを宛先メールアドレスに送信するため、携帯端末のユーザに対する費用（通信料）は、変更前および変更後のメールアドレスとメールアドレス変更の通知先となる宛先メールアドレスとを含む情報を変更通知代行サーバに送信する際にかかる通信料だけよい。
【００１０】
また、変更通知メッセージの送信元は、変更前のメールアドレスであるので、通知先の相手が、その変更通知メッセージを迷惑メールと勘違いすることはない。
【発明の効果】
【００１１】
本発明によれば、変更通知代行サーバにより変更通知メッセージの送信を代行するようにしたので、従来に比べて、変更通知メッセージにかかる通信料を削減することができる、という効果がある。
【００１２】
また、通知先の相手が、変更通知メッセージを迷惑メールと勘違いすることがないので、従来に比べて、確実に変更通知を行うことができる、という効果がある。
【発明を実施するための最良の形態】
【００１３】
次に、本発明の実施形態について図面を参照して説明する。
【００１４】
図１は、本発明の一実施形態であるメールアドレス変更通知システムの概略構成を示すブロック図である。図１を参照すると、このメールアドレス変更通知システムは、ユーザが所持する携帯端末１０と、当該システムの管理者によって管理されるサーバ２０（変更通知代行サーバ）と、契約者（ユーザ）に携帯端末を提供する携帯電話会社によって管理される携帯電話会社端末３０とを有する。
【００１５】
携帯端末１０と携帯電話会社端末３０は、携帯電話会社が運用するネットワークを通じて接続される。携帯端末１０は、携帯電話機やＰＨＳに代表される電話機であって、メール機能（メーラー）およびＷｅｂページ閲覧機能（ブラウザ）を有する。携帯端末１０は、携帯電話会社端末３０を通じてインターネットへの接続が可能とされており、このインターネットを通じてサーバ２０との間で情報を送受信するとともに携帯端末１１との間で電子メールを送受信することができる。携帯端末１１は、複数台あることを想定している。
【００１６】
図２に、携帯端末１０の概略構成を示す。図２を参照すると、携帯端末１０は、制御部１００、記憶部１０１、通信部１０２、操作部１０３および表示部１０４からなるコンピュータシステムよりなる。
【００１７】
記憶部１０１は、半導体メモリなどで構成されるものであって、メーラーやブラウザなど携帯端末を動作せるための様々なプログラムやアドレス帳や自端末のメールアドレスなどの様々なデータが格納される。操作部１０３は、操作用のキーやボタンからなり、ユーザは、これらキーやボタンを操作することで、必要なデータを入力したり、携帯端末の動作を指示したりすることができる。表示部１０４は、液晶ディスプレイに代表される表示装置よりなる。通信部１０２は、携帯電話会社が運用するネットワークを構成する無線基地局（不図示）との間で無線通信を行う。
【００１８】
制御部１００は、記憶部１０１に格納された各プログラムに従って動作し、操作部１０３からの入力を受け付けて各部の動作を制御する。また、制御部１００は、必要なデータを記憶部１０１から読み出して表示部１０４に表示させたり、その読み出したデータを通信部１０２から外部装置へ送信したり、通信部１０２を通じて受信される外部装置からのデータを記憶部１０１に格納したりする。この他、ユーザは、操作部１０３を通じてメールアドレスの変更をおこなうことができ、制御部１００は、その変更後のメールアドレスを変更前のメールアドレスとともに記憶部１０１に格納するとともに、変更後のメールアドレスを自端末を識別可能な情報（端末ＩＤ）と一緒に携帯電話会社端末３０に送信する。
【００１９】
携帯電話会社端末３０は、契約者の携帯端末（ここでは、携帯端末１０）による電子メールの送受信を管理する既存のメールサーバを含むサーバシステムよりなる。このメールサーバは、各契約者の携帯端末のメールアドレスをそれぞれの端末ＩＤと関連付けて格納したデータベースを備え、このデータベース上で携帯端末１０のメールアドレスを管理している。メールサーバは、インターネットを介して電子メールを受信した場合は、その受信メールの宛先（メールアドレス）がデータベースに登録されているか否かを判断し、登録されている場合には、その受信メールを該当する携帯端末に送信し、登録されていない場合は、受信メールの送信元に対してエラーメールを返信する。携帯端末１０から変更後のメールアドレスと端末ＩＤを受信した場合は、メールサーバは、その受信した変更後のメールアドレスと端末ＩＤに基づいてデータベースを更新する。メールサーバは、その電子メールの送信元に対してエラーメール通知を返信する。エラーメールを返信する手法としては、「ＭＡＩＬＥＲ−ＤＡＥＭＯＮ」や「ＭＡＩＬ  ＤＥＬＩＶＥＲＹ  ＳＵＢＳＹＳＴＥＭ」などが知られている。
【００２０】
サーバ２０は、契約者の携帯端末（ここでは、携帯端末１０）に代わってメールアドレスの変更通知を行うものである。図３に、サーバ２０の概略構成を示す。図３を参照すると、サーバ２０は、制御部２００、記憶部２０１および通信部２０２からなるコンピュータシステムよりなる。
【００２１】
記憶部２０１は、半導体メモリやハードディスクなどにより構成されるものであって、サーバを動作せるための様々なプログラムやデータが格納される。具体的には、記憶部２０１には、メールアドレスの変更通知サービスに関するＷｅｂページ（携帯用）をインターネット上に提供するためのプログラム２０１０やそのＷｅｂページで提供されるメールアドレス変更通知設定画面データ２０１１が予め格納されている。このメールアドレス変更通知設定画面データ２０１１は、メールアドレス入力画面データ、宛先情報入力画面データおよび通知メッセージ作成画面データを含む。また、記憶部１０１には、メールアドレス変更通知設定画面を通じて取得したメールアドレス（変更前メールアドレス２０１２ａおよび変更後メールアドレス２０１２ｂ）、宛先情報２０１２ｃおよび通知メッセージ２０１２ｄを含むメールアドレス変更情報２０１２が格納される。さらに、記憶部１０１には、メールアドレス変更情報２０１２に基づいてメールアドレス変更通知処理を実行するためのメールアドレス変更通知用プログラム２０１３が予め格納されている。
【００２２】
通信部２０２は、インターネットを介した通信を行うためのものである。制御部２００は、記憶部２０１に格納された各プログラムに従って動作する。具体的には、制御部２００は、プログラム２０１０に従って動作し、メールアドレス変更通知設定画面データ２０１１に基づいてメールアドレスの変更通知サービスに関するＷｅｂページをインターネット上に提供したり、このＷｅｂページへの携帯端末からのアクセス要求を受け付けて、その携帯端末からメールアドレス変更情報２０１２を取得して記憶部２０１に格納したりする。また、制御部２００は、プログラム２０１３に従って動作し、メールアドレス変更情報２０１２に基づいてメールアドレス変更通知処理を実行する。
【００２３】
次に、本実施形態のメールアドレス変更通知システムの動作について図１〜図３を参照して具体的に説明する。
【００２４】
ユーザは、本メールアドレス変更通知システムによるメールアドレス変更通知サービスを受けるにあたってサーバ２０がインターネット上に提供しているＷｅｂページのＵＲＬ（Uniform Resource Locator）を取得する。このＵＲＬは、通常、雑誌やインターネットを通じた広告により提供するが、携帯電話会社が契約者の携帯端端末にアプリケーションの１つとして予め登録してもよい。
【００２５】
ユーザは、携帯端末１０上で、予め取得したＵＲＬを入力（登録されている場合はＵＲＬを指定する）してＷｅｂページへのアクセスを行うための入力操作を行う。携帯端末１０では、制御部１００が、入力または指定されたＵＲＬへのアクセス要求をサーバ２０に通信部１０２を通じて送信する。
【００２６】
サーバ２０では、携帯端末１０からアクセス要求を受信すると、制御部２００が、メールアドレス変更通知設定画面データ２０１１のメールアドレス入力画面データをその要求元の携帯端末１０に通信部２０２を通じて送信する。
【００２７】
メールアドレス入力画面データを受信した携帯端末１０では、制御部１００が、その受信したメールアドレス入力画面データに基づいて表示部１０３にメールアドレス入力画面を表示させる。このメールアドレス入力画面には、変更前メールアドレスおよび変更後メールアドレスに関する入力項目があり、ユーザは、操作部１０３を通じてそれら項目に必要な情報を入力または指定することができる。必要な情報の入力では、ユーザは操作部１０３を通じて文字を手入力する。必要な情報の指定では、制御部１００が、記憶部１０１に格納されている変更前メールアドレスおよび変更後メールアドレスをそれぞれ画面上に表示させる。そして、ユーザが、操作部１０３を通じてそれら表示データを指定することで、変更前メールアドレスおよび変更後メールアドレスの各入力項目に情報を入力することができる。また、メールアドレス入力画面には、確定ボタンが用意されており、ユーザが、操作部１０３を通じてこの確定ボタンを選択入力すると、制御部１００が、入力情報（変更前メールアドレスおよび変更後メールアドレス）をサーバ２０へ送信する。
【００２８】
入力情報（変更前メールアドレスおよび変更後メールアドレス）を受信したサーバ２０では、制御部２００が、その受信した入力情報を変更前メールアドレス２０１２ａおよび変更後メールアドレス２０１２ｂとして記憶部２０１に格納する。続いて、制御部２００は、変更前メールアドレス２０１２ａを宛先とするテストメールを作成して送信する。このテストメールは、インターネットを介して携帯電話会社端末３０（メールサーバ）へ送信される。なお、制御部２００は、テストメールの作成にあたって、メールアドレスを確認するためのメールである旨のメッセージ（これは、記憶部２０１に予め格納されている）を付与する。
【００２９】
携帯電話会社端末３０では、サーバ２０からテストメール（携帯端末１０の変更前メールアドレス宛ての電子メール）を受信すると、その受信したテストメールの宛先がデータベースに登録されている否かを調べる。ユーザが、携帯端末１０上で、メールアドレスの変更を行っていれば、データベースはその変更後のメールアドレスで更新されている（変更前のメールアドレスは削除されている）ので、サーバ２０から受信したテストメールの宛先はデータベースに登録されていないことになる。一方、ユーザがメールアドレスの変更を行っていない場合は、データベースには、変更前のメールアドレスが登録されているので、サーバ２０から受信したテストメールの宛先がデータベースに登録されていることになる。テストメールの宛先がデータベースに登録されている場合は、携帯電話会社端末３０は、テストメールを携帯端末１０に送信する。テストメールの宛先がデータベースに登録されていない場合は、携帯電話会社端末３０は、エラーメールをサーバ２０に送信する。テストメールが携帯端末１０に送信された場合は、制御部１０が、そのテストメールの内容を表示部１０４に表示させる。これにより、メールアドレスを確認するためのメールである旨のメッセージが表示され、ユーザは、その表示により、メールアドレスの変更を行っていないことを認識する。
【００３０】
サーバ２０では、制御部２００が、テストメールの送信後、所定時間内にエラーメールを受信するかどうかを確認する。ここで、所定時間は、サーバ２０から送信されたテストメールがインターネットを通じて携帯電話会社端末３０（メールサーバ）に届くまでの時間、携帯電話会社端末３０（メールサーバ）が、受信したテストメールの宛先についてデータベースの登録確認を行い、エラーメールを返信するまでの処理に要する時間およびそのエラーメールがインターネットを通じてサーバ２０に届くまでの時間を考慮して決定する。
【００３１】
所定時間内にエラーメールを受信することができなかった場合は、制御部２００は、メールアドレス変更通知サービスの提供を行うことができないと判断して、その旨を携帯端末１０に通知して処理を終了する。この通知を受けた携帯端末１０では、制御部１０が、通知内容を表示１０３に表示させる。ユーザは、上記テストメールの内容とは別に、この表示内容からもメールアドレスの変更を行っていないことを認識する。所定時間内にエラーメールを受信することができた場合は、制御部２００は、メールアドレス変更通知設定画面データ２０１１の宛先情報入力画面データを携帯端末１０に送信する。
【００３２】
宛先情報入力画面データを受信した携帯端末１０では、制御部１００が、その受信した宛先情報入力画面データに基づいて表示部１０３に宛先情報入力画面を表示させる。この宛先情報入力画面には、メールアドレス変更通知先となる宛先情報を入力する項目があり、ユーザは、操作部１０３を通じてそれら項目に必要な情報を入力または指定することができる。必要な情報の入力では、ユーザは操作部１０３を通じて文字を手入力する。必要な情報の指定では、制御部１００が、記憶部１０１に格納されているアドレス帳データを画面上に表示させる。そして、ユーザが、操作部１０３を通じて、表示されたアドレス帳データから所望の宛先を指定することで宛先情報を入力することができる。また、宛先情報入力画面には、確定ボタンが用意されており、ユーザが、操作部１０３を通じてこの確定ボタンを選択入力すると、制御部１００が、入力された宛先情報をサーバ２０へ送信する。なお、宛先情報としてアドレス帳データを送信する場合は、アドレス帳データのうち、ユーザが指定した相手先のメールアドレスおよび氏名の情報のみを送信するものとする。
【００３３】
宛先情報を受信したサーバ２０では、制御部２００が、その受信情報を宛先情報２０１２ｃとして記憶部２０１に格納する。宛先情報２０１２ｃの格納後、制御部２００は、通知メッセージ作成画面データを携帯端末１０に送信する。
【００３４】
通知メッセージ作成画面データを受信した携帯端末１０では、制御部１００が、その受信した通知メッセージ作成画面データに基づいて表示部１０３に通知メッセージ作成画面を表示させる。この通知メッセージ作成画面には、メールアドレス変更通知用のメッセージを入力する項目があり、ユーザは、操作部１０３を通じてその項目に必要なメッセージを入力することができる。また、通知メッセージ作成画面には、確定ボタンが用意されており、ユーザが、操作部１０３を通じてこの確定ボタンを選択入力すると、制御部１００が、入力された通知メッセージをサーバ２０へ送信する。
【００３５】
通知メッセージを受信したサーバ２０では、制御部２００が、その受信メッセージを通知メッセージ２０１２ｄとして記憶部２０１に格納する。そして、制御部２００は、記憶部２０１に格納されたメールアドレス変更情報２０１２（変更前メールアドレス２０１２ａ、変更後メールアドレス２０１２ｂ、宛先情報２０１２ｃ、通知メッセージ２０１２ｄ）に基づいてメールアドレス変更通知処理を実行する。
【００３６】
メールアドレス変更通知処理では、メールアドレス変更通知用メールを作成する。このメールアドレス変更通知用メールの作成では、まず、変更後メールアドレス２０１２ｂおよびメッセージ２０１２ｄを含む変更通知メッセージを作成する。次に、作成した変更通知メッセージの送信先として、宛先情報２０１２ｃの各メールアドレスを指定する。最後に、作成した変更通知メッセージの送信元（送信者）として、変更前メールアドレス２０１２ａを指定する。この指定は、既存のプログラムを使用する。例えば、スクリプト言語であるＰＨＰ４（「ＰＨＰ」は、Hypertext Preprocessorの略）を用いる場合は、「mb#send#mali」関数により電子メールのヘッダの「from」（発信者）を指定することができる。同様に、ｐｅｒｌであれば、「sendmail」関数で「from」（発信者）を指定することができる。なお、メッセージ中に、サーバ２０から送信されたメールである旨を明記することが望ましい。
【００３７】
メールアドレス変更通知処理後、サーバ２０では、制御部２００が、メールアドレス変更通知を行った旨の完了通知を携帯端末１０に送信する。この際、制御部２００は、上記のメールアドレス変更通知処理で送信できなかったメールアドレスがあった場合は、そのメールアドレスの情報を完了通知と共に携帯端末１０に送信する。
【００３８】
以上の動作によれば、サーバ２０が、メールアドレス変更通知を携帯端末１０に代わって行うので、メールアドレス変更通知によって生じていた、携帯端末１０のユーザに対する時間・費用的コストを軽減することができる。また、ユーザによる変更通知漏れも回避することができる。
【００３９】
また、変更通知メッセージの送信元は、変更前のメールアドレスであるので、通知先の相手が、受信した変更通知メッセージを迷惑メールと勘違いして削除する、といったことは発生しない。
【００４０】
サーバ２０は、サービス悪用による迷惑メール大量送信の防止を考慮して、携帯端末１０に登録されたメールアドレス（アドレス帳データ）のみ使用するようにしてもよい。これにより、ユーザは、アドレス帳データに登録された送信先メールアドレス以外のメールアドレスを変更通知メッセージの送信先として指定することができなくなる。
【００４１】
また、第三者が大量にメールを発信することに関する法律は、「特定電子メールの送信の適正化等に関する法律」に定められていることから、
本発明に関係する部分のみ明記する。
【００４２】
さらに、サーバ２０は、変更通知メッセージを送信する際に、そのメッセージ中に、メール変更通知を代理で行っている旨を記載することが望ましい。
【００４３】
また、サーバ２０において、メールアドレス変更通知サービスを使用したユーザの情報を管理するようにして、ユーザに対してサービス利用料金を請求するようにしてもよい。
【図面の簡単な説明】
【００４４】
【図１】本発明の一実施形態であるメールアドレス変更通知システムの概略構成を示すブロック図である。
【図２】図１に示すメールアドレス変更通知システムの携帯端末の概略構成を示すブロック図である。
【図３】図１に示すメールアドレス変更通知システムのサーバの概略構成を示すブロック図である。
【符号の説明】
【００４５】
１０、１１  携帯端末
２０  サーバ
３０  携帯電話会社端末
【図１】
2006277573.tif 000003
【図２】
2006277573.tif 000004
【図３】
2006277573.tif 000005